(57)【要約】【課題】ＣＰＵのサイズの変更が行われた場合でも、新たなＣＰＵに合った位置に取り付けるヒートシンクを移動することができるヒートシンクの取付構造を提供する。【解決手段】回路パターンの形成された基板１と、基板１に搭載される電子部品と、基板１にネジ６で固定され、電子部品を冷却するヒートシンク３と、を有し、基板１には、電子部品の搭載位置周辺に回路パターンの形成されないネジ穴エリア５が設けられ、ヒートシンク３を固定するネジ６のネジ穴９がネジ穴エリア５に設けられ、ネジ穴エリア５は、１のネジ穴９を設けるために必要な面積よりも大きい面積を有することを特徴とするヒートシンクの取付構造。【選択図】図１
2015103734.tif 000002
【特許請求の範囲】
【請求項１】
回路パターンの形成された基板と、
該基板に搭載される電子部品と、
前記基板にネジで固定され、前記電子部品を冷却するヒートシンクと、を有し、
前記基板には、前記電子部品の搭載位置周辺に前記回路パターンの形成されないネジ穴エリアが設けられ、
前記ヒートシンクを固定するネジのネジ穴が前記ネジ穴エリアに設けられ、
前記ネジ穴エリアは、１の前記ネジ穴を設けるために必要な面積よりも大きい面積を有することを特徴とするヒートシンクの取付構造。
【請求項２】
前記ヒートシンクは、前記ネジが貫通する取り付け部を有していることを特徴とする請求項１記載のヒートシンクの取付構造。
【請求項３】
回路パターンが形成され、電子部品が搭載されるとともに該電子部品を冷却するヒートシンクがネジで固定される基板であって、
前記電子部品の搭載位置周辺に設けられる前記回路パターンの形成されないネジ穴エリアに、前記ヒートシンクを固定するネジのネジ穴が設けられ、
前記ネジ穴エリアは、１の前記ネジ穴を設けるために必要な面積よりも大きい面積を有することを特徴とする基板。
【発明の詳細な説明】
【技術分野】
【０００１】
本発明は、基板上に取り付けられる放熱用のヒートシンクの取付構造および基板に関する。
【背景技術】
【０００２】
従来から、ＣＰＵは基板に取り付けられ、ＣＰＵを冷却するためにＣＰＵの上面にヒートシンクが取り付けられる。ヒートシンクの４箇所は、ネジで基板に形成されたネジ穴にネジ止めされる。
【０００３】
特許文献１には、ヒートシンクの取り付け部の一つをガイド側に付勢しながら、ガイドの係合部とソケットの係合部とを係合させて仮止めした後、ネジとスタッドとを螺合させて締結し、ヒートシンクが持ち上がらず、ネジをスタッドへ容易に合わせることができるようにしたヒートシンクの固定構造が開示されている。
【０００４】
また、特許文献２には、取付位置基準に対して各リード端子の位置がそれぞれ異なる複数の電子部品の中から選択する場合でも、プリント基板および放熱部品を共通化でき、プリント基板から電子部品がはずれにくいプリント基板への電子部品取付構造が開示されている。
【０００５】
複数の電子部品の各リード端子の取付位置基準に対する位置の差が最小になる取付位置基準を電子部品に規定する。そして、この取付位置基準を基準にした場合に生じる複数の電子部品の各リード端子の位置の差を基にして、最小の幅の長孔形状のリード端子挿入孔をプリント基板に規定する。
【先行技術文献】
【特許文献】
【０００６】
【特許文献１】特開２００７−２５８４６４号公報
【特許文献２】特開２００６−２５３３３３号公報
【発明の概要】
【発明が解決しようとする課題】
【０００７】
しかし、従来技術では、ＣＰＵをサイズの異なる別の種類のＣＰＵに変更する場合に、変更されたＣＰＵを同じ基板に取り付けると、ＣＰＵのサイズが異なるために基板上での位置が元のＣＰＵのときの位置と異なるものとなる。位置の異なるＣＰＵに対して元のＣＰＵの位置に合わせた位置にヒートシンクを取り付けると、中心位置がずれることなどによってヒートシンクが傾いてＣＰＵに荷重がかかり、ＣＰＵの故障の原因になってしまうという問題があった。
【０００８】
ヒートシンクがＣＰＵに対して傾かないようにするためには、新たなＣＰＵに合った位置にヒートシンクを取り付けるため基板のネジ穴位置の変更が必要となるが、そのためには新たなネジ穴位置を通る多数の信号線を移動させた新たな基板を設計せねばならず、費用と時間が必要となって、非常に非効率である。
【０００９】
また、特許文献１に開示されている技術では、ネジが基板の一定位置に固定されたネジ穴に締め付けられるので、ＣＰＵのサイズが変更された場合に、ヒートシンクの位置が新たなＣＰＵと合わなくなるという問題は解決できていない。
【００１０】
さらに、特許文献２に開示されている技術では、リード端子の位置が異なる電子部品に変更しても基板を共通化できるが、ヒートシンクはネジで基板に取り付けられるので、ＣＰＵのサイズが変更された場合に、ヒートシンクの位置が新たなＣＰＵと合わなくなるという問題は解決できていない。
【００１１】
本発明は、前記課題を解決するためのものであり、その目的とするところは、ＣＰＵのサイズの変更が行われた場合でも、新たなＣＰＵに合った位置に取り付けるヒートシンクを移動することができるヒートシンクの取付構造を提供することにある。
【課題を解決するための手段】
【００１２】
かかる目的を達成するために、本発明は、以下の特徴を有する。
【００１３】
本発明に係るヒートシンクの取付構造は、回路パターンの形成された基板と、該基板に搭載される電子部品と、前記基板にネジで固定され、前記電子部品を冷却するヒートシンクと、を有し、前記基板には、前記電子部品の搭載位置周辺に前記回路パターンの形成されないネジ穴エリアが設けられ、前記ヒートシンクを固定するネジのネジ穴が前記ネジ穴エリアに設けられ、前記ネジ穴エリアは、１の前記ネジ穴を設けるために必要な面積よりも大きい面積を有することを特徴とする。
【００１４】
また、本発明に係る基板は、回路パターンが形成され、電子部品が搭載されるとともに該電子部品を冷却するヒートシンクがネジで固定される基板であって、前記電子部品の搭載位置周辺に設けられる前記回路パターンの形成されないネジ穴エリアに、前記ヒートシンクを固定するネジのネジ穴が設けられ、前記ネジ穴エリアは、１の前記ネジ穴を設けるために必要な面積よりも大きい面積を有することを特徴とする。
【発明の効果】
【００１５】
本発明によれば、ＣＰＵのサイズの変更が行われた場合でも、新たなＣＰＵに合った位置に取り付けるヒートシンクを移動することができる。
【図面の簡単な説明】
【００１６】
【図１】本実施形態に係るヒートシンクの取付構造を示す概略図である。
【図２】本実施形態に係るヒートシンクの取付構造を示す側面図である。
【図３】ヒートシンクを移動した状態を示す概略図である。
【発明を実施するための形態】
【００１７】
以下、本実施形態について図面により詳細に説明する。
【００１８】
図１は、本実施形態に係るヒートシンクの取付構造を示す概略図である。図２は、本実施形態に係るヒートシンクの取付構造を示す側面図である。ヒートシンクの取付構造は基板１とＣＰＵ２とヒートシンク３とを有している。基板１には、回路パターンが形成されている。基板１はＣＰＵ２の他に多数の電子部品を備えているが、説明と図示を省略する。
【００１９】
ＣＰＵ２はパッケージ７上に固定され、パッケージ７は基板１上に取り付けられる。ＣＰＵ２の上面と接する支持部８の上にヒートシンク３が設置される。ＣＰＵ２で発生した熱は、中央領域の突出された部分であるＣＰＵ２からヒートシンク３に伝導され、さらにヒートシンク３から放熱されることになる。
【００２０】
ヒートシンク３が設置された支持部８の４つの角部には、取り付け部４が形成されている。取り付け部４には、ネジが貫通する穴が形成され、取り付け部４の穴を貫通したネジ６は、基板１のネジ穴エリア５に形成されたネジ穴９に螺合される。
【００２１】
なお、取り付け部４は、ヒートシンク３の対角線上の斜め方向に形成されているが、これに限定されず、ヒートシンク３の各辺に垂直な方向等であってもよい。また、取り付け部４は４つに限定されず、４つ以上形成されてもよい。
【００２２】
ネジ穴エリア５は、基板１においてＣＰＵ２が取り付けられる位置の周辺における、回路パターンが形成されていない部分である。これが一つのネジ穴を設けるのに必要な面積より大きい面積を持つように形成されていることにより、基板の設計変更をすることなく、変更したＣＰＵに合わせた位置にヒートシンクが設置されるようネジ穴の位置を変更できるという効果が得られる。
【００２３】
ネジ穴エリア５は、円形でネジ頭より大きく形成され、ネジ穴９を形成することができる。ヒートシンクはネジ穴９にネジ６で固定される。ネジ穴９はネジ穴エリア５の範囲内で位置をずらして形成することができるので、ヒートシンク３の位置を変更することができる。
なお、ネジ穴エリア５の形状は円形に限定されず、四角等の他の形状であってもよい。また、ネジ穴エリア５の面積は、自由に設計変更できる。
【００２４】
本実施形態では、ＣＰＵ２の中心とヒートシンク３の中心とは、一致している。ＣＰＵ２の中心とヒートシンク３の中心とが一致している場合、ネジ穴９はネジ穴エリア５の中央に形成され、ネジ６はネジ穴エリア５の中央に固定される。
【００２５】
次に、ＣＰＵ２をサイズが異なる他のＣＰＵ１１に変更した場合について説明する。図３は、ヒートシンク３を移動した状態を示す概略図である。ＣＰＵ１１は、ＣＰＵ２よりサイズが小さく、性能も異なる。
【００２６】
基板１にＣＰＵ２の換わりにＣＰＵ１１を取り付けることにより、ＣＰＵ１１のサイズが異なるために、基板上での位置がＣＰＵ２のときの位置と異なるものとなる。位置の異なるＣＰＵ１１に対してＣＰＵ２の位置に合わせた位置にヒートシンク３を取り付けると、中心位置がずれることなどによってヒートシンク３が傾いて、ＣＰＵ１１に荷重がかかってしまうという問題があった。
【００２７】
そこで、ＣＰＵ１１の中心とヒートシンク３の中心とを一致させる必要がある。ＣＰＵ１１の中心がヒートシンク３の中心より右側にずれている場合に、ヒートシンク３を図示する矢印方向に移動させる。
【００２８】
ＣＰＵ１１が基板１に取り付けられた状態で、ＣＰＵ１１の中心とヒートシンク３の中心とを一致させる。ネジ穴９はネジ穴エリア５の中心から右方向にずらして形成され、ヒートシンク３はネジ６で固定される。
【００２９】
また、ＣＰＵ１１の中心がヒートシンク３の中心より右側でなく、他の方向にずれている場合でも、ヒートシンク３の中心をＣＰＵ１１の中心に一致させる方向にヒートシンク３を移動させ、ネジ穴エリア５のネジ穴９の位置をネジ穴エリア５の中心から他の方向に形成することができる。
【００３０】
本実施形態によれば、ＣＰＵのサイズの変更が行われた場合でも、新たなＣＰＵに合った位置に取り付けるヒートシンクを移動することができる。
なお、本実施形態はＣＰＵに限定されず、抵抗やコンデンサー等の他の電子部品であってもよい。
【００３１】
また、上述した実施の形態は、本発明の好適な実施の形態の一例を示すものであり、本発明はそれに限定されることなく、その要旨を逸脱しない範囲内において、種々変形実施が可能である。
【符号の説明】
【００３２】
１    基板
２    ＣＰＵ
３    ヒートシンク
４    取り付け部
５    ネジ穴エリア
６    ネジ
７    パッケージ
８    支持部
９    ネジ穴
【図１】
2015103734.tif 000003
【図２】
2015103734.tif 000004
【図３】
2015103734.tif 000005